(57)【要約】【課題】  関節機能を回復するために用いる装具であって、関節に対し伸展・屈曲両方向に継続的に負荷をかけること、及びかける負荷を調節することが可能な装具であり、自宅等でも使用できる、小型で取り扱いが容易な伸展・屈曲補助機能付装具を提供する。【解決手段】  関節の前後の肢体に装着可能な一対の支持部材１、２を、関節部３で角度変化可能に連結した装具であって、関節部３を支点として、支持部材２の長手方向に対して、角度を調節して固定できるアウトリガー５を備えており、かつ支持部材２とアウトリガー５が、伸縮可能な弾性紐６で、支持部材２の長手方向と、アウトリガー５と弾性紐６が三角形を形成するように連結されていることを特徴とする、伸展・屈曲補助機能付装具。【選択図】  図１
2004313768.tif 000002
【特許請求の範囲】
【請求項１】
関節の前後の肢体に装着可能な一対の支持部材を、関節部で角度変化可能に連結した装具であって、前記関節部を支点として、前記支持部材の長手方向に対して、角度を調節して固定できるアウトリガーを備えており、かつ前記支持部材と前記アウトリガーが、伸縮可能な弾性紐で、前記支持部材の長手方向と、前記アウトリガーと前記弾性紐が三角形を形成するように連結されていることを特徴とする、伸展・屈曲補助機能付装具。
【請求項２】
前記支持部材が外側に、前記支持部材の測辺に対して実質的に平行に、支柱を備えており、該支柱と、前記アウトリガーが、前記弾性紐で三角形を形成するように連結されていることを特徴とする、請求項１記載の伸展・屈曲補助機能付装具。
【請求項３】
前記弾性紐が、ゴム紐又はコイルバネからなることを特徴とする、請求項１または２記載の伸展・屈曲補助機能付装具。
【請求項４】
前記三角形が、前記弾性紐が他の二辺と長さの異なる実質的に二等辺三角形となるものであることを特徴とする、請求項１ないし３のいずれか１項に記載の伸展・屈曲補助機能付装具。
【請求項５】
前記関節部と前記弾性紐の取り付け位置との距離が、変更可能となっていることを特徴とする、請求項１ないし４のいずれか１項に記載の伸展・屈曲補助機能付装具。
【請求項６】
前記弾性紐が、長さを変えて取り付け可能であることを特徴とする、請求項１ないし５のいずれか１項に記載の伸展・屈曲補助機能付装具。
【発明の詳細な説明】
【技術分野】
【０００１】
本発明は、関節機能を回復するために用いられる伸展・屈曲補助機能付装具に関する。より詳しくは、関節に対し、伸展方向にも屈曲方向にも負荷をかけることができ、且つ、負荷の調節を容易に行うことができる装具に関する。
【背景技術】
【０００２】
従来から、関節リウマチや変形性関節症の手術後、および熱傷後の瘢痕拘縮等において、関節機能障害が生じることが知られている。そのため、関節機能を回復するために、関節可動域訓練や筋力強化訓練といったリハビリテーションを行う必要があり、これまでにも様々な方法や装具が考えられてきた。
【０００３】
しかし、高価な機械や大型の機械は患者が個人で購入することは困難であり、施設に通わなければ利用できない。また入院中は、医師や理学療法士等の適切な指示の下に、継続的にリハビリテーションが行われるが、退院後は一般に、自宅における患者自身によるリハビリテーションが必要となる。
【０００４】
患者が自宅でも自分でリハビリテーションを行うことができる装置として、特許文献１の足の筋力回復用訓練装置や、特許文献２の電動式関節運動訓練器や、特許文献３のリハビリテーション装置等がある。
しかし、これらはいずれも、関節の伸展・屈曲運動を繰り返すことにより、各関節の硬直を防止し、または硬直を緩和すること、あるいは筋力を強化することを目的としている。
【０００５】
【特許文献１】実開平５−４８９２８号公報
【特許文献２】特開平７−２２２７７５号公報
【特許文献３】特開２００２−１１９５５５号公報
【発明の開示】
【発明が解決しようとする課題】
【０００６】
しかし、関節の伸展・屈曲運動を繰り返すリハビリテーションを行っても、関節の可動域を拡大させることは容易ではない。また、関節の状態によっては、伸展・屈曲運動の繰り返しが状態の悪化につながり、却って好ましくないことがある。このような場合、関節の拘縮の防止、または関節の可動域の改善のためには、伸展・屈曲運動ではなく、関節に適切な負荷をかけ続けることが好ましい。しかし、そのようなリハビリテーションを自分で行うことは困難であるため、次第に行わなくなって、関節の拘縮が進む。また、自分の意思により、関節の伸展・屈曲を行うことができない就寝中など、長時間関節を動かさない状態が続くことによっても関節の拘縮が進み、可動域の制限をきたす。
【０００７】
本発明は、このような問題を解決するためになされたものであり、その課題は、関節の伸展・屈曲両方向に適切な負荷をかけ続けることができる装具であって、取り扱いが容易であり、長時間装着しておける伸展・屈曲補助機能付装具を提供することである。
【課題を解決するための手段】
【０００８】
本発明は、上記課題を解決するための手段として、以下の構成を備えている。
【０００９】
関節の前後の肢体に装着可能な一対の支持部材を、関節部で角度変化可能に連結した装具であって、前記関節部を支点として、支持部材の長手方向に対して、角度を調節して固定できるアウトリガー（棒体）を備えており、かつ支持部材とアウトリガーが、伸縮可能な弾性紐で、支持部材の長手方向と、アウトリガーと弾性紐が三角形を形成するように連結されていることを特徴とする。
【００１０】
一対の支持部材は、関節部で角度変化可能に連結されているため、関節の前後の肢体に装着すれば、関節の動きに沿って動かすことができる。伸展方向に負荷をかけたい場合には、伸展方向の可動域の限界まで関節を動かし、その後、アウトリガー（棒体）を伸展方向に動かす。アウトリガーは、関節部を支点として、角度の調節が可能に形成されており、また、支持部材とアウトリガーは、伸縮可能な弾性紐で、支持部材の長手方向と、アウトリガーと弾性紐が三角形を形成するように連結されているため、アウトリガーを伸展方向に動かせば、弾性紐で連結された支持部材にも、伸展方向向きの力がかかる。また、アウトリガーの角度を変えることによって、関節にかかる負荷を調節することが可能である。アウトリガーは、角度を調節して固定することができるため、適切な負荷を与える角度で固定すれば、関節に対し伸展方向に継続して一定の負荷をかけることができる。
また、屈曲方向に負荷をかける場合には、関節を屈曲方向の可動域の限界まで動かし、アウトリガーを屈曲方向に動かして負荷を調節し、適切な負荷がかかる角度でアウトリガーを固定することによって、関節に対し、屈曲方向に継続して一定の負荷をかけることができる。
【００１１】
また、支持部材が外側に、支持部材の測辺に対して実質的に平行に支柱を備えており、支柱と、アウトリガーが弾性紐で三角形を形成するように連結されていてもよい。
支持部材の測辺に沿って支柱を設ければ、装具をより頑丈な構造とすることができる。また、支持部材の測辺に対して実質的に平行に備えられているため、支持部材の代わりに、該支柱と、アウトリガーが弾性紐で三角形を形成するように連結されていてもよい。
【００１２】
弾性紐を、ゴム紐又はコイルバネとして、伸展・屈曲補助機能付装具を提供してもよい。
【００１３】
また、三角形を、弾性紐が他の二辺と長さの異なる実質的に二等辺三角形となるように形成することにより、より負荷がかけやすい装具とすることができる。
【００１４】
また、関節部と弾性紐の取り付け位置との距離が、変更可能となるように形成してもよい。本発明にかかる装具では、支持部材の長手方向と、アウトリガーと弾性紐が三角形を形成するように連結されているため、関節部と弾性紐の取り付け位置との距離を変えることによって、上記三角形の辺の長さを変えることができる。すなわち、アウトリガーと支持部材の長手方向の角度が同じであっても、関節部を頂点とする二辺が短いほど、関節部にかかる負荷は小さくなり、上記二辺が長いほどかかる負荷は大きくなる。従って、関節部と弾性紐の取り付け位置との距離を変更することによっても、関節にかかる負荷の調節が可能である。
【００１５】
また、弾性紐が長さを変えて取り付け可能であってもよい。すなわち、アウトリガーと支持部材の間の弾性紐の長さが短ければ、アウトリガーを支持部材の長手方向に対して同じ角度まで動かすために、より強い力が必要になり、その結果、関節部により大きい負荷がかかる。反対に、アウトリガーと支持部材の間の弾性紐の長さが長ければ、アウトリガーを同じ角度まで動かすために必要な力は小さくなり、関節部にかかる負荷もより小さくなる。
【発明の効果】
【００１６】
以上説明したことから明らかなように、本発明によれば、関節の前後の肢体に、関節部で角度変化可能に連結した支持部材を装着し、伸展方向または屈曲方向の可動域の限界まで関節を動かした後、関節部を支点とするアウトリガーの角度（支持部材の長手方向に対する角度）を調節することによって、弾性紐でアウトリガーと連結された支持部材を引っ張る構成のため、関節に対し、伸展方向と屈曲方向のどちらにも負荷をかけることができる。さらに、該アウトリガーは、角度を調節して固定できるため、適切な負荷をかける角度で固定することによって、関節に一定の負荷を継続してかけることができる。その結果、関節を痛めることなく、関節の可動域を増加させ、または関節の拘縮を防止するリハビリテーションを行うことができる。それとともに、負荷の調整も容易に行うことができるため、回復の状態にあわせて適切な負荷をかけることができる。
【００１７】
また、大がかりな装置ではなく、安全で操作も容易であるため、医師や理学療法士等が付き添わなくても使用でき、リハビリテーション施設のみならず、自宅等においても使用可能である。そして、患者の就寝中等にも、使用することができるため、長時間関節を動かさない状態が続くことによって、関節の拘縮が進み、次第に関節の可動域制限をきたすといった問題を解消することもできる。また、装着するだけであるため、患者のリハビリテーションに対する精神的負担が軽く、リハビリテーションの継続が期待できる。
【発明を実施するための最良の形態】
【００１８】
本発明にかかる伸展・屈曲補助機能付装具により、可動域の改善を図ることができる関節として、例えば、肘関節、膝関節、手首の関節、指の関節等を挙げることができる。すなわち、本発明における関節の前後の肢体には、肘関節前後の前腕部・上腕部、膝関節前後の大腿部・下腿部のみならず、手首関節の前後の手掌部・前腕部、指節間関節の前後の手指なども含まれる。
【００１９】
本発明にかかるアウトリガーとは、棒体であり、関節部を支点として動かすことができ、支持部材の長手方向に対して、角度を調節して固定できるものである。アウトリガーは、支持部材の両側面側に取り付けられてもよいが、動くのに邪魔になる場合には、一側面側にのみ設ければよい。例えば、対照となる関節が肘関節である場合、アウトリガーが体幹側にあると、動くのに邪魔になったり、顔等に接触する危険があるため、アウトリガーは、外側（体幹と逆側）にのみ設けられることが好ましい。また、アウトリガーの長さを伸縮可能に形成してもよい。アウトリガーを伸縮可能に形成すれば、負荷が小さくても良い患者はアウトリガーを縮めて使用することができ、よりアウトリガーを気にせずに行動することができる。また、負荷が小さくても良い患者に適用する場合には、アウトリガーを短く形成して、製品の軽量化を図ってもよい。
【００２０】
アウトリガー及び支柱には、丈夫な素材を用いることが好ましく、例えばステンレススチール等を用いることができるが、チタン等の軽量な材質を用いれば、装具をより軽くすることができ好ましい。また、アウトリガー及び支柱を金属で形成した場合には、それらを適切な保護材（合成皮革等）で覆えば、より使用上の安全性を高めることができる。
【００２１】
支持部材は、関節の前後の肢体に確実に装着できる構成を有し、頑丈かつ軽量な素材で形成されることが好ましい。例えば、肘関節や膝関節に用いる場合には、その前後の肢体の大きさに合わせた半円柱状の部材と、該部材を肢体に確実に固定するための複数のベルトや留め具を有する構成とすることができる。また、材質としては、軽量であると共に、厚みを調節して丈夫な構造とすることができるため、プラスチック等を用いることが好ましい。
【００２２】
弾性紐は、力をかけても容易に切断したりはずれないものであればよい。例えば、ゴム紐やコイルバネ等を挙げることができる。
【実施例１】
【００２３】
以下、本発明の伸展・屈曲補助機能付装具の実施例を、図面を参照して詳細に説明する。
図１は、本発明の伸展・屈曲補助機能付装具を右肘に適用する場合の一実施例を示した図（支持部材の細かい構成は図示せず）であって、左側面図である。図１において、肘関節の前後の肢体に装着可能な一対の支持部材、すなわち上腕用支持部材１と、前腕用支持部材２とが、該支持部材１、２の外側に、測辺に対して実質的に平行に取り付けられた支柱４によって、関節部３で角度変化可能に連結されている。実線と仮想線で示したように、前腕用支持部材２の長手方向に対して角度を調節できるアウトリガー５が、関節部３に取り付けられ、かつ支柱４と、該アウトリガー５が、伸縮可能な弾性紐６で連結されている。図に示すように、支柱４とアウトリガー５は、弾性紐６を底辺とし、関節部３を頂点とする二等辺三角形になるように形成されている。
【００２４】
図２は、図１で示した製品の、支柱４とアウトリガー５の側面図である。支柱４は、上腕用支持部材１に固定された上腕用支柱７と前腕用支持部材２に固定された前腕用支柱８と、該支柱を連結する関節部３から構成されている。関節部３は、上腕用・前腕用支柱７、８を肘関節部において、伸展・屈曲可能であって、かつ伸展状態で止まり、反対側には屈曲しないように連結している。アウトリガー５は、結合具９により関節部３の外側に取り付けられており、ねじ１０をゆるめることによって、関節部３を支点として回動させることができ、ねじ１０を締めることによって、前腕用支柱８に対して角度を調節した状態で固定することができる。
【００２５】
図３は、図１で示した製品の右側面図である。本実施例では装具をより頑丈な構造とし、安定に腕に固定するために、支持部材１、２の左側面のみならず、右側面にも支柱４を取り付けた。一方、アウトリガー５は、体側にあると動くのに邪魔になったり、顔等に接触する危険がある。また、本実施例では、アウトリガー５と支柱４は共にステンレス製であり、ねじ１０で強固に固定することができるため、一方側に取り付けるだけで十分な負荷をかけることができる。従って、本実施例では、アウトリガー５を体幹側（本実施例は右肘用であるので右側面側）には取り付けていない。
【００２６】
図４は、本発明の伸展・屈曲補助機能付装具を左肘に適用する場合の一実施例の正面図である。支持部材１、２の構成が詳細に示されている以外は、第１図で示した構成と同じである。本実施例では、腕を支持するための支持部材１、２は、上腕と前腕のそれぞれの形状に合わせた半円柱状のプラスチック製の上腕用支持体１１と前腕用支持体１２、該支持体１１、１２に腕を固定するための上腕用腕当て部１３と前腕用腕当て部１４と、該腕当て部１３、１４にそれぞれ取り付けられた、上腕用固定ベルト１５、前腕用固定ベルト１６、及び上腕用留め具１７、前腕用留め具１８からなり、該ベルト１５、１６は片面にのみ布ファスナー有し、支持体１１、１２の一方の側面に取り付けられている。また、留め具１７、１８は、支持体１１、１２の固定ベルト１５、１６が取り付けられた側面と反対側の側面に形成されている。なお、本実施例では、支持体１１、１２に通気性を良くするための小さな穴を複数形成し、また関節部３をあて布１９で覆い、関節部３の伸展・屈曲により皮膚や被服に傷が付かないようにしている。    
【００２７】
図５は、第４図で示した製品の背面図である。
【００２８】
図６は、第４図で示した製品を左肘に装着した状態を示す正面図である。仮想線は左腕を示す。図で示すように、上腕・前腕に支持体１１、１２をはめ、固定ベルト１５、１６を留め具１７、１８に通した後、折り曲げ、ベルトの片面にのみ設けた布ファスナーどうしを付着させることにより、腕に支持部材１、２を装着する。
【００２９】
図７は、第４図で示した製品の右側面図であって、肘関節に屈曲方向の負荷をかける場合の使用状態を示す図である。図で示すように、左肘に本製品を装着した後、肘関節を患者の可動域の限界まで屈曲させ、その後アウトリガー５を屈曲方向に引く。前腕用支柱８とアウトリガー５に、弾性紐６が取り付けられているため、アウトリガー５を屈曲方向に引くことにより、前腕用支持部材２が、弾性紐６により、屈曲方向に引っ張られ、肘関節に屈曲方向の負荷がかかる。アウトリガー５と前腕用支柱８の角度により負荷の調整が可能であるため、適切な負荷をかけることができる角度までアウトリガー５を引いた後、ねじ１０を締めて固定する。これにより、肘関節に常に一定の屈曲方向の負荷をかけることができ、肘関節の屈曲可動域拡大を図ることができる。
【００３０】
図８は、第４図で示した製品の左側面図であって、肘関節に屈曲方向の負荷をかける場合の使用状態を示す図である。アウトリガー５は右側面にのみ取り付けられ、体側である左側面には取り付けられていないため、腕を降ろした姿勢等をとっても、アウトリガー５が体に接触するなどして邪魔になることはない。
【００３１】
図９は、第４図で示した製品の右側面図であって、肘関節に伸展方向の負荷をかける場合の使用状態を示す図である。図で示すように、左肘に本製品を装着した後、肘関節を患者の可動域の限界まで伸展させ、その後アウトリガー５を伸展方向に動かす。前腕用支持部材２が、弾性紐６により、伸展方向に引っ張られ、肘関節に伸展方向の負荷がかかる。屈曲の場合と同様に、アウトリガー５と前腕用支柱８の角度により負荷の調整が可能であるため、適切な負荷をかけることができる角度までアウトリガー５を動かした後、ねじ１０を締めてアウトリガー５を固定する。これにより、肘関節に常に一定の伸展方向の負荷をかけることができ、肘関節の伸展可動域の拡大を図ることができる。なお、支柱７、８は、関節部３で、伸展状態で止まり、反対側には屈曲しないように連結されているため、装具を使用しても、反対側の屈曲方向に負荷がかかることはなく、安全に使用することができる。
【００３２】
図１０は、本実施例における、弾性紐６及び、弾性紐６を取り付けたアウトリガー５と前腕用支柱８を示す図である。本実施例では弾性紐６としてチューブ状のゴム紐を用いている。ゴム紐は、アウトリガー側の弾性体用留め具２０、及び前腕用支柱側の弾性体用留め具２１に設けられた輪の部分を通り、弾性体用固定具２２により固定されている。該弾性体用固定具２２は、３つの金属製の輪からなり、力が加えられてもゴム紐がはずれない構成となっている。また、金属製の輪に通すゴム紐の端の長さを調節することによりに、アウトリガー５と前腕用支柱８間のゴム紐の長さを調節することが可能である。従って、本実施例ではアウトリガー５の角度のみならず、弾性紐６の長さによっても負荷を調整することができる。すなわち、アウトリガー５と前腕用支柱８の角度が同じであっても、アウトリガー５と前腕用支柱８間の弾性紐６の長さを短くすれば、負荷は大きくなり、弾性紐６の長さを長くすれば、負荷は小さくなる。
【００３３】
なお、本発明の他の実施例（図示しない）においては、アウトリガー５の長さを伸縮可能に形成したり、弾性体用留め具２０、２１を移動可能に形成しても良い。すなわち、アウトリガー５と前腕用支柱８の角度が同じであっても、上記二等辺三角形の二等辺が短いほどかかる負荷は小さく、二等辺が長いほどかかる負荷は大きくなる。従って、関節部３と弾性紐の取り付け位置との間の距離を変更可能とすることにより、上記の距離を調節することによっても、負荷の調節が可能である。
【実施例２】
【００３４】
図１１に、本発明に係る伸展・屈曲補助機能付装具を膝関節に用いる場合の一実施例を示す。
【００３５】
図１１は、本発明の伸展・屈曲補助機能付装具を左膝に適用する場合の一実施例を示した図であって、Ａは左側面図、ＢはＡで示した製品の、支柱と該支柱に取り付けられたアウトリガーを示す側面図である。Ａに示すように、膝関節の前後の肢体に装着可能な一対の支持部材、すなわち大腿用支持部材１’と、下腿用支持部材２’とが、該支持部材１’、２’の外側に、測辺に対して実質的に平行に取り付けられた支柱４によって、関節部３で角度変化可能に連結されている。実線と仮想線で示したように、下腿用支持部材２’の長手方向に対して角度を調節できるアウトリガー５が、関節部３に取り付けられ、かつ下腿用支柱８’と、該アウトリガー５が、伸縮可能な弾性紐６で連結されている。図に示すように、下腿用支持部材２’の長手方向と、アウトリガー５と弾性紐６は、三角形を形成するように連結されている。
【００３６】
実施例１と同様、支持部材１’、２’は、大腿と下腿のそれぞれの形状に合わせた半円柱状のプラスチック製の支持体１１’１２’と、該支持体１１’、１２’を大腿と下腿のそれぞれに固定するための、脚当て部（図示せず）と、該脚当て部１３’、１４’にそれぞれ取り付けられた、大腿用固定ベルト１５’、下腿用固定ベルト１６’、及び該ベルトを固定する留め具（図示せず）からなる。その他の各部材の構成も実施例１と同様である。
【００３７】
実施例２では、プラスチック製の支持体の厚みを３ｍｍとし、支柱４とアウトリガー５を共に、幅１４ｍｍ・厚さ５ｍｍのステンレス製の棒体で構成し、ねじ１０として、実施例１より大型のねじを用いた。また、ねじ１０の頭部につまみを設け、手の力でも十分に締め付けることができるようにした。
【００３８】
本実施例の装具は、実施例１の装具と同様の方法で装着することができ、且つ同様の方法で、膝関節に対して伸展・屈曲どちらの方向にも負荷をかけることができる。
【実施例３】
【００３９】
図１２に、本発明に係る伸展・屈曲補助機能付装具を手指に用いる場合の一実施例を示す。
【００４０】
図１２は、本発明の伸展・屈曲補助機能付装具を、人差し指の第二関節（近位指節間関節）に適用する場合の一実施例を示した図であって、Ａは正面図、Ｂは右側面図である。Ｂに示すように、指先側の手指に装着する支持部材２''と掌側に装着する支持部材１''は、関節部３で角度変化可能に連結されており、前記関節部３を支点として、支持部材の長手方向に対して、角度を調節して固定できるアウトリガー５が支持部材１''に取り付けられている。支持部材２''とアウトリガー５は、伸縮可能な弾性紐６で、支持部材２''の長手方向と、アウトリガー５と弾性紐６が三角形を形成するように連結されている。
【００４１】
支持部材１''、２''は、第二関節前後の手指の形状に合わせたプラスチック製の支持体１１''、１２''と、該支持体１１''、１２''を手指に固定するための、固定ベルト１５''、１６''からなる。支持体１１''、１２''は共に、半円柱状の形状であるが、Ａに示すように、関節部が幅広に形成されており、場所によって径が異なる。また、指先側の支持体１２''は、その先端部（指先側）が閉じられ、指先が囲われるように形成されている。
アウトリガー５は棒体であって、Ａに示すように、支持体１２''の形状に沿って屈曲した形状をとり、先端は支持体１２''を越えた位置でほぼ直角に折れ曲がっている。弾性紐６は、支持体１２''の先端と、アウトリガー先端の折曲部分とを連結している。
【００４２】
実施例３では、プラスチック製の支持体の厚みを２ｍｍとし、アウトリガー５は、幅５ｍｍ・厚さ１．５ｍｍのステンレス製の棒体で構成した。
【００４３】
本実施例の装具の装着は、装具の関節部３が人差し指の第二関節にくるように、半円柱状の支持体１１''、１２''を、指の背側から被せて、固定ベルト１５''、１６''で支持体と手指を一体に巻き付けることによって行う。固定ベルト１５''、１６''は、片面に面ファスナのループ部が、他方の面に面ファスナのフック部が固着されているため、支持体と手指を一体に巻いて、任意の位置で固定することができる。
【００４４】
装具装着後は、関節に対して伸展方向の負荷をかけたい場合には、可動域の限界まで関節を伸展させ、その後アウトリガーを伸展方向に持ち上げ、関節にかかる負荷を調節しながら、適切な角度（支持部材の長手方向に対する）でアウトリガーを固定する。これにより、関節に適切な負荷を継続してかけることが可能となる。また、関節に対して屈曲方向の負荷をかけたい場合には、同様に、可動域の限界まで関節を屈曲させ、その後アウトリガーを屈曲方向に動かし、適切な角度でアウトリガーを固定すればよい。
【図面の簡単な説明】
【００４５】
【図１】図１は、本発明の伸展・屈曲補助機能付装具を右肘に適用する場合の一実施例を示した図であって、左側面図である。
【図２】図２は、第１図で示した製品の、支柱と支柱に取り付けられたアウトリガーの側面図である。
【図３】図３は、第１図で示した製品の右側面図である。
【図４】図４は、本発明の伸展・屈曲補助機能付装具を左肘に適用する場合の一実施例の正面図である
【図５】図５は、第４図で示した製品の背面図である。
【図６】図６は、第４図で示した製品を左肘に装着した状態を示す正面図である。
【図７】図７は、第４図で示した製品の右側面図であって、肘関節に屈曲方向の負荷をかける場合の使用状態を示す図である。
【図８】図８は、第４図で示した製品の左側面図であって、肘関節に屈曲方向の負荷をかける場合の使用状態を示す図である。
【図９】図９は、第４図で示した製品の右側面図であって、肘関節に伸展方向の負荷をかける場合の使用状態を示す図である。
【図１０】図１０は、本実施例における、弾性紐及び、弾性紐を取り付けたアウトリガーと前腕用支柱を示す図である。
【図１１】図１１は、本発明の伸展・屈曲補助機能付装具を左膝に適用する場合の一実施例を示した図であって、Ａは左側面図であり、Ｂは、支柱と該支柱に取り付けられたアウトリガーを示す側面図である。
【図１２】図１２は、本発明の伸展・屈曲補助機能付装具を、手指に適用する場合の一実施例を示した図であって、Ａは正面図、Ｂは右側面図である。
【符号の説明】
【００４６】
１  上腕用支持部材
２  前腕用支持部材
３  関節部
４  支柱
５  アウトリガー
６  弾性紐
７  上腕用支柱
８  前腕用支柱
９  結合具
１０  ねじ
１１  上腕用支持体
１２  前腕用支持体
１３  上腕用腕当て部
１４  前腕用腕当て部
１５  上腕用固定ベルト
１６  前腕用固定ベルト
１７  上腕用留め具
１８  前腕用留め具
１９  あて布
２０  弾性体用留め具（アウトリガー側）
２１  弾性体用留め具（前腕用支柱側）
２２  弾性体用固定具
【図１】
2004313768.tif 000003
【図２】
2004313768.tif 000004
【図３】
2004313768.tif 000005
【図４】
2004313768.tif 000006
【図５】
2004313768.tif 000007
【図６】
2004313768.tif 000008
【図７】
2004313768.tif 000009
【図８】
2004313768.tif 000010
【図９】
2004313768.tif 000011
【図１０】
2004313768.tif 000012
【図１１】
2004313768.tif 000013
【図１２】
2004313768.tif 000014